(57)【特許請求の範囲】
【請求項１】
口部を有する容器本体と、この容器本体の前記口部に装着されるキャップとから成る容器であって、前記キャップの内部には粉末状，液状若しくは固形状のミルク材を収納する収納部が設けられ、前記口部に装着された前記キャップの外し方向への移動の際、前記収納部が開放される収納部開放機構を具備し、また、前記口部には前記キャップが装着されるキャップ装着部が設けられ、更に、前記口部にして前記キャップ装着部より先端側部位には、人工乳首を装着する人工乳首装着部が設けられており、前記キャップは、前記キャップ装着部に着脱自在に装着されるキャップ本体と、前記キャップ本体内にスライド移動自在に配設され且つ前記人工乳首装着部に着脱自在に装着される内体とで構成され、前記キャップ本体の内部に前記収納部が設けられ、また、前記内体には前記収納部の開口部を閉塞する閉塞部が設けられ、前記内体に対して前記キャップ本体をスライド移動させた際、前記閉塞部により閉塞されている前記開口部が開放される構成であり、前記内体には、前記人工乳首装着部に形成された被係止部と係止する係止部が設けられ、前記キャップ装着部に装着された前記キャップ本体の外し方向への初期移動の際、前記係止部及び前記被係止部の係止作用により、前記キャップ本体とともに前記内体が外し方向へ移動することが阻止されるように構成されていることを特徴とする特徴とするミルク飲用容器。
【請求項２】
請求項１記載のミルク飲用容器において、前記人工乳首装着部は、前記キャップ装着部よりも径小に設けられ、前記キャップ装着部は、前記キャップ本体を螺着するための螺旋凸条を設けて構成され、前記人工乳首装着部は、前記人工乳首を設けたキャップを螺着するための螺旋凸条を設けて構成され、前記キャップ装着部の前記螺旋凸条の長さよりも前記人工乳首装着部の前記螺旋凸条の長さが短く設定されていることを特徴とするミルク飲用容器。
【請求項３】
請求項１，２いずれか１項に記載のミルク飲用容器において、前記口部に装着された前記キャップ本体を外し方向へ移動させた際、前記初期移動以降においては、前記係止作用が解除されるように構成されていることを特徴とするミルク飲用容器。
【請求項４】
請求項１〜３いずれか１項に記載のミルク飲用容器において、前記キャップ本体は前記キャップ装着部に被嵌され、また、前記キャップ本体の内面部には凸部が設けられており、前記被係止部と前記係止部との係止作用の解除は、前記キャップ本体の前記凸部が前記係止部と係止し、外し方向に前記内体が引動されることで行われることを特徴とするミルク飲用容器。
【請求項５】
請求項１〜４いずれか１項に記載のミルク飲用容器において、前記内体は胴部と該胴部上縁に設けられた前記係止部とで構成され、前記胴部は、前記口部内に嵌挿され、前記係止部は前記口部の開口上縁にして前記人工乳首装着部に被嵌装着されることを特徴とするミルク飲用容器。
【請求項６】
請求項５記載のミルク飲用容器において、前記人工乳首装着部に前記係止部を被嵌装着した際、この係止部の外面部が前記キャップ装着部の外面部より内方へ位置するように前記人工乳首装着部の径が設定されていることを特徴とするミルク飲用容器。
【請求項７】
請求項５，６いずれか１項に記載のミルク飲用容器において、前記係止部の外面部には前記キャップ本体の凸部と係止する凸部が設けられていることを特徴とするミルク飲用容器。
【請求項８】
請求項１〜７いずれか１項に記載のミルク飲用容器において、前記容器本体として電子レンジでの加熱に耐え得る耐熱性の容器本体を採用したことを特徴とするミルク飲用容器。
【発明の詳細な説明】
【技術分野】
【０００１】
本発明は、例えば乳児がミルクを飲む際に使用するミルク飲用容器に関するものである。
【背景技術】
【０００２】
例えば乳児に飲ませるミルクは、飲む直前に哺乳瓶にお湯と粉末状のミルク材を入れ、混ぜて作る。
【０００３】
これは、ミルクを温かい適温で飲ませたいのは勿論、お湯（水）と混ぜた状態で時間が経つと酸化して味が落ちたり、品質が劣化したりするからである。
【０００４】
ところで、実際、ミルクを作る場合は、哺乳瓶にお湯を入れるとともに、別途用意したスティック状の袋や缶に入った粉末状のミルク材を入れ、キャップを閉めて哺乳瓶を振って混ぜてミルクを作ることになるが、この作業は非常に厄介であり、特に屋外などの外出先でミルクを作ろうとする場合は一層厄介となる。
【発明の概要】
【発明が解決しようとする課題】
【０００５】
本発明者は、前述した問題点に着目し、種々の研究・開発を進めた結果、極めて商品価値の高い画期的なミルク飲用容器を開発した。
【課題を解決するための手段】
【０００６】
添付図面を参照して本発明の要旨を説明する。
【０００７】
口部１を有する容器本体２と、この容器本体２の前記口部１に装着されるキャップ３とから成る容器であって、前記キャップ３の内部には粉末状，液状若しくは固形状のミルク材Ｘを収納する収納部６が設けられ、前記口部１に装着された前記キャップ３の外し方向への移動の際、前記収納部６が開放される収納部開放機構を具備し、また、前記口部１には前記キャップ３が装着されるキャップ装着部１Ａが設けられ、更に、前記口部１にして前記キャップ装着部１Ａより先端側部位には、人工乳首11を装着する人工乳首装着部１Ｂが設けられており、前記キャップ３は、前記キャップ装着部１Ａに着脱自在に装着されるキャップ本体４と、前記キャップ本体４内にスライド移動自在に配設され且つ前記人工乳首装着部１Ｂに着脱自在に装着される内体５とで構成され、前記キャップ本体４の内部に前記収納部６が設けられ、また、前記内体５には前記収納部６の開口部６ａを閉塞する閉塞部７が設けられ、前記内体５に対して前記キャップ本体４をスライド移動させた際、前記閉塞部７により閉塞されている前記開口部６ａが開放される構成であり、前記内体５には、前記人工乳首装着部１Ｂに形成された被係止部９と係止する係止部８が設けられ、前記キャップ装着部１Ａに装着された前記キャップ本体４の外し方向への初期移動の際、前記係止部８及び前記被係止部９の係止作用により、前記キャップ本体４とともに前記内体５が外し方向へ移動することが阻止されるように構成されていることを特徴とする特徴とするミルク飲用容器に係るものである。
【０００８】
また、請求項１記載のミルク飲用容器において、前記人工乳首装着部１Ｂは、前記キャップ装着部１Ａよりも径小に設けられ、前記キャップ装着部１Ａは、前記キャップ本体４を螺着するための螺旋凸条１ａを設けて構成され、前記人工乳首装着部１Ｂは、前記人工乳首11を設けたキャップ12を螺着するための螺旋凸条１ｂを設けて構成され、前記キャップ装着部１Ａの前記螺旋凸条１ａの長さよりも前記人工乳首装着部１Ｂの前記螺旋凸条１ｂの長さが短く設定されていることを特徴とするミルク飲用容器に係るものである。
【０００９】
また、請求項１，２いずれか１項に記載のミルク飲用容器において、前記口部１に装着された前記キャップ本体４を外し方向へ移動させた際、前記初期移動以降においては、前記係止作用が解除されるように構成されていることを特徴とするミルク飲用容器に係るものである。
【００１０】
また、請求項１〜３いずれか１項に記載のミルク飲用容器において、前記キャップ本体４は前記キャップ装着部１Ａに被嵌され、また、前記キャップ本体４の内面部には凸部４ｄが設けられており、前記被係止部９と前記係止部８との係止作用の解除は、前記キャップ本体４の前記凸部４ｄが前記係止部８と係止し、外し方向に前記内体５が引動されることで行われることを特徴とするミルク飲用容器に係るものである。
【００１１】
また、請求項１〜４いずれか１項に記載のミルク飲用容器において、前記内体５は胴部５Ａと該胴部５Ａ上縁に設けられた前記係止部８とで構成され、前記胴部５Ａは、前記口部１内に嵌挿され、前記係止部８は前記口部１の開口上縁にして前記人工乳首装着部１Ｂに被嵌装着されることを特徴とするミルク飲用容器に係るものである。
【００１２】
また、請求項５記載のミルク飲用容器において、前記人工乳首装着部１Ｂに前記係止部８を被嵌装着した際、この係止部８の外面部が前記キャップ装着部１Ａの外面部より内方へ位置するように前記人工乳首装着部１Ｂの径が設定されていることを特徴とするミルク飲用容器に係るものである。
【００１３】
また、請求項５，６いずれか１項に記載のミルク飲用容器において、前記係止部８の外面部には前記キャップ本体４の凸部４ｄと係止する凸部８ｄが設けられていることを特徴とするミルク飲用容器に係るものである。
【００１４】
また、請求項１〜７いずれか１項に記載のミルク飲用容器において、前記容器本体２として電子レンジでの加熱に耐え得る耐熱性の容器本体２を採用したことを特徴とするミルク飲用容器に係るものである。
【発明の効果】
【００１５】
本発明は上述のように構成したから、キャップを開けるという簡単な操作でこのキャップに収納された適量のミルク材を容器本体内に入れることができ、従って、ミルクを簡単に作ることが可能となり、よって、乳児にミルクを飲ませることができるなど、極めて商品価値の高い画期的なミルク飲用容器となる。
２
【図面の簡単な説明】
【００１６】
【図１】本実施例を示す正面図である。
【図２】本実施例に係る要部を説明する断面図である。
【図３】本実施例に係る要部の分解斜視図である。
【図４】本実施例に係る要部を説明する断面図である。
【図５】本実施例に係る要部の動作説明図である。
【図６】本実施例に係る要部の動作説明図である。
【図７】本実施例に係る要部の動作説明図である。
【図８】本実施例の使用状態説明図である。
【発明を実施するための形態】
【００１７】
好適と考える本発明の実施形態を、図面に基づいて本発明の作用を示して簡単に説明する。
【００１８】
例えば口部１に装着されたキャップ３を外し方向へ移動させて収納部６が開放されると、ミルク材Ｘが容器本体２内に入る。この状態で例えば容器本体２を振って該容器本体２内のお湯とミルク材Ｘとを混ぜてミルクを作る。
【００１９】
従って、キャップ３を外す方向へ移動させる操作を行うだけで収納部６が開放され、このキャップ３に収納されたミルク材Ｘを簡単に容器本体２内に入れることができる。
【００２０】
ところで、本発明は、口部１にしてキャップ３が装着されるキャップ装着部１Ａより先端側部位には、人工乳首11を装着する人工乳首装着部１Ｂが設けられている。
【００２１】
従って、ミルクを作った後にキャップ３を外し、人工乳首11を口部１に装着し、容器本体２内の出来たてのミルクを乳児に飲ませることができる。
【実施例】
【００２２】
本発明の具体的な一実施例について図面に基づいて説明する。
【００２３】
本実施例は、口部１を有する容器本体２と、この容器本体２の口部１に装着されるキャップ３とから成るものである。尚、本実施例では、キャップ３に粉末状のミルク材Ｘを収納し、容器本体２に入れた水を電子レンジなどで加熱してお湯とし、この双方を混ぜることでミルクを作るものであるが、ミルク材Ｘとしては粉末状に限らず液状や固形状でも良く、本実施例の特性を発揮するものであれば適宜採用し得るものである。
【００２４】
具体的には、容器本体２は、図１，２に図示したように適宜な合成樹脂製の部材で成形した縦長ボトル形状体（所謂ペットボトル）であり、電子レンジでの加熱に耐え得る耐熱性を有するものである。尚、容器本体２は耐熱性を有するものであればガラス製でも金属製でも良い。
【００２５】
また、容器本体２の上部には、径大部１Ａ’と該径大部１Ａ’の上部に段部を介して連続する径小部１Ｂ’とから成る円筒状の口部１が設けられ、この口部１に係る径大部１Ａ’には後述するキャップ３を装着するキャップ装着部１Ａが設けられている。
【００２６】
このキャップ装着部１Ａは、口部１に係る径大部１Ａ’の外周面に後述するキャップ本体４が螺合する螺旋凸条１ａを形成して構成されている。尚、口部１に対するキャップ本体４の装着構造は螺子構造に限らず引き抜き自在な押し込み装着構造でも良い。
【００２７】
また、口部１は、螺旋凸条１ａの上方位置（径大部１Ａ’と径小部１Ｂ’との間の位置）に後述する内体５に設けられる係止部８が係止する被係止部９（係止凹溝）が形成されている。
【００２８】
また、口部１は、前述したキャップ装着部１Ａ（被係止部９）よりも上方部位に径小部１Ｂ’が設けられ、この径小部１Ｂ’には、後述する人工乳首11を設けたキャップ12を装着する人工乳首装着部１Ｂが設けられている。
【００２９】
この人工乳首装着部１Ｂは、口部１の径小部１Ｂ’の外周面にキャップ12が螺合する螺旋凸条１ｂを形成して構成され、キャップ装着部１Ａよりも径小に設けられ、後述する係止部８を被嵌装着した際、該係止部８の外面部がキャップ装着部１Ａの外面部と没入状態（若しくは面一状態）となる径に設定されている。
【００３０】
また、この人工乳首装着部１Ｂに係る螺旋凸条１ｂは、キャップ装着部１Ａに係る螺旋凸条１ａよりも短く設定されており、少ない螺動により装着し得る所謂クイックスクリュー構造として構成されている。
【００３１】
このクイックスクリュー構造は、人工乳首11を設けたキャップ12に一般的に採用されており、よって、キャップ12を迅速に装着することができる。
【００３２】
キャップ３は、口部１に被嵌状態で装着するキャップ本体４と、このキャップ本体４内に相対スライド移動自在に配設され且つ口部１に装着される内体５とで構成されている。
【００３３】
キャップ本体４は、図３，４に図示したように適宜な耐熱性を有する合成樹脂製の部材で成形した有天筒状体であり、天壁部４ａから垂下する側壁部４ｂの下側内周面には口部１の螺旋凸条１ａと螺合する螺旋凸条４ｃが形成され、キャップ本体４は、口部１に対して着脱自在に螺着することになる。
【００３４】
また、このキャップ本体４の内面中央位置には筒状の収納部６が突出形成されている。
【００３５】
この収納部６は、粉末状，液状若しくは固形状のミルク材Ｘを収納する部位であり、下端部に開口部６ａを有する。
【００３６】
また、収納部６の内底部の角部はＲ形状に形成されており、ミルク材Ｘが粉末状の場合には、この部分でミルク材Ｘが固まらず良好に落ちることになる。この点は実験により確認済み。
【００３７】
また、キャップ本体４は、側壁部４ｂの内周面にして前述した螺旋凸条４ｃの上方位置に凸部４ｄが周方向に囲繞状態に設けられ、この凸部４ｄはキャップ本体４を外し方向に移動させた際に後述する係止部８に係止する部位である。
【００３８】
符号３ａは滑り止め部である。
【００３９】
内体５は、図３，４に図示したように適宜な耐熱性を有する合成樹脂製の部材で成形した有底筒状体であり、胴部５Ａは、容器本体２の口部１内に嵌挿でき、且つ、キャップ本体４内に配され収納部６に被嵌し得る径に設定されている。
【００４０】
また、内体５は、キャップ本体４内に配する際、胴部５Ａに設けた後述する係止部８（凸部８ｄ）がキャップ本体４の凸部４ｄを乗り越えるようにして圧入挿入され、凸部４ｄを乗り越えた位置で抜け止め係止状態となり、また、係止部８は凸部８ｄが係止する凸部４ｄ位置からキャップ本体４の側壁部４ｂに設けた段部４ｂ’までの位置においてスライド自在となる。
【００４１】
従って、内体５は、凸部８ｄが係止する凸部４ｄ位置からキャップ本体４の側壁部４ｂに係る段部４ｂ’までの範囲でキャップ本体４に対して相対スライド移動自在となる。
【００４２】
また、内体５の底部内面は円錐状に突出形成されており、この円錐状部は、内体５を収納部６に被嵌した際、収納部６に圧入嵌合させて開口部６ａを閉塞する閉塞部７として構成されている。
【００４３】
従って、収納部６は閉塞部７により閉塞されて密閉状態となる。
【００４４】
この収納部６にミルク材Ｘを収納する場合には、キャップ本体４を逆さ状態として開口部６ａからミルク材Ｘを収納し、この状態で内体５をキャップ本体４内に配して収納部６ａの開口部６ａを閉塞部７で閉塞する。
【００４５】
また、内体５の下方位置にして胴部５Ａの周囲には窓部５ａが形成されており、収納部６に対する閉塞部７の嵌合状態を解除して開口部６ａを開口状態とした際、この窓部５ａにより収納部６の内空間と内体５の外空間とを連通状態となる。
【００４６】
従って、キャップ本体４に対して内体５をスライド移動させた際、閉塞部７により閉塞されている収納部６が開放され（収納部開放機構）、収納部６に詰入したミルク材Ｘが外部に排出されることになる。
【００４７】
また、内体５には口部１に設けた被係止部９（係止凹溝）に係止する係止部８が設けられている。
【００４８】
この係止部８は、胴部５Ａの上部開口部を外側に折り返し状態に設けた形状であり、具体的には、水平方向に突出する鍔状部８ａと、この鍔状部８ａの先端に垂設する垂設部８ｂとから成り、この係止部８は、口部１に内体５を嵌挿させた際、口部１の上部開口部にして人工乳首装着部１Ｂを隠蔽するように被嵌するように構成されている。
【００４９】
また、この係止部８は、垂設部８ｂの下端内面に凸状部８ｃが設けられており、口部１の上部開口部に被嵌装着した際、この凸状部８ｃが口部１に設けた被係止部９（係止凹溝）に係止するように構成されている。
【００５０】
従って、口部１に装着されたキャップ本体４の外し方向への初期移動の際、係止部８及び被係止部９の係止作用により、キャップ本体４とともに内体５が外し方向へ移動することが阻止される。
【００５１】
また、係止部８に係る垂設部８ｂの外周面には凸部８ｄが周方向に囲繞状態に設けられており、この凸部８ｄは、口部１に装着されたキャップ本体４を外し方向へ移動させた際、初期移動以降においてキャップ本体４の凸部４ｄと係止して、被係止部９と係止部８との係止作用が解除されるように構成されている。
【００５２】
具体的には、本実施例は、口部１に装着されたキャップ本体４を外し方向へ移動（螺動）させた際、キャップ本体４に対して内体５がスライド移動する範囲（凸部８ｄが係止する凸部４ｄ位置からキャップ本体４の側壁部４ｂに係る段部４ｂ’までの間）内を口部１に対してキャップ本体４が外れ方向に移動（螺動）している間は、係止部８が被係止部９から係脱しない係止力に設定されており、よって、被係止部９（係止凹溝）と係止部８（凸状部８ｃ）との係止作用の解除は、キャップ本体４の凸部４ｄが係止部８の凸部８ｄと係止し、外し方向に内体５が引動されることで行われる。
【００５３】
つまり、係止部８（凸状部８ｃ）と被係止部９（係止凹溝）の係止力は、キャップ本体４の凸部４ｄに対する係止部８の凸部８ｄ抜け止め係止力よりも弱く設定されており、よって、キャップ本体４を外し方向へ螺動させて凸部４ｄに対して係止部８の凸部８ｄが抜け止め係止した後もキャップ本体４を更に外し方向へ螺動させた際には、係止部８（凸状部８ｃ）は被係止部９（係止凹溝）から係脱して内体５は口部１から外れ、キャップ本体４とともに口部１から完全に取り外し状態となる。
【００５４】
尚、係止部８を凹状とし、被係止部９を凸状としても良い。
【００５５】
人工乳首11は、図８に図示したように適宜な可撓性を有する合成樹脂製の部材で成形したものである。
【００５６】
また、人工乳首11は、下端開口縁部に鍔部11ａが形成されており、この鍔部11ａは人工乳首11に後述するキャップ12を被嵌した際、キャップ12の内面に係止するように構成されている。
【００５７】
キャップ12は、図８に図示したように適宜な合成樹脂製の部材で成形した環状体であり、人工乳首11に被嵌し得るように構成され、内面には人工乳首装着部１Ｂに螺着する螺旋凸条12ａが形成されている。
【００５８】
以上の構成から成る本実施例に係る容器における飲料の作り方について説明する。
【００５９】
予め電子レンジで加熱して容器本体２内に適温のお湯を作っておき、例えば口部１（キャップ装着部１Ａ）に装着されたキャップ本体４を外し方向へ螺動させる。尚、お湯はやかんや電気ポットなどで沸かしたお湯を容器本体２に入れても良い。
【００６０】
具体的には、キャップ本体４の凸部４ｄが係止部８の凸部８ｄに係止する位置までキャップ本体４を螺動させると、内体５は口部１に残された状態（装着状態）のままキャップ本体４だけが上方へ移動し（これが初期移動である。）、この際、キャップ本体４に対して内体５がスライド移動した状態となり、閉塞部７により閉塞されている開口部６ａが開放され、この開口部６ａからミルク材Ｘが容器本体２内のお湯に落下する（図５，６参照）。
【００６１】
この状態で例えば容器本体２を振って該容器本体２内の水とミルク材Ｘとを混ぜると、ミルクができる。
【００６２】
その後、更にキャップ本体４を螺動させて口部１から外した際、係止部８の凸部８ｄに対する凸部４ｄの係止力が被係止部９（係止凹溝）に対する係止部８（凸状部８ｃ）の係止力に勝り、内体５は口部１から係脱してキャップ本体４と一緒に口部１から外れる（図７参照）。
【００６３】
この状態で、キャップ12を人工乳首装着部１Ｂに螺着して人工乳首11を装着する（図８参照）。
【００６４】
本実施例は上述のように構成したから、キャップ３を開けるという簡単な操作でこのキャップ３に収納された適量のミルク材Ｘを容器本体２内に入れることができ、しかも、このミルク材Ｘを容器本体２内に入れて作った出来たてのミルクを飲むことができる。
【００６５】
また、本実施例は、人工乳首装着部１Ｂは、キャップ装着部１Ａよりも径小に設けられているから、キャップ12を装着する別構造の装着部（例えばアリ型などの特殊形状の螺旋凸条１ｂ）を設けることができ、しかも、その構造上、人工乳首装着部１Ｂはキャップ３で覆われていることになるから極めて衛生的である。
【００６６】
また、本実施例は、キャップ装着部１Ａは、口部１にキャップ本体４を螺着するための螺旋凸条１ａを設けて構成され、人工乳首装着部１Ｂは、口部１にキャップ12を螺着するための螺旋凸条１ｂを設けて構成され、キャップ装着部１Ａの螺旋凸条１ａの長さよりも人工乳首装着部１Ｂの螺旋凸条１ｂの長さが短く設定されているから、キャップ３の装着時には深くねじ込まれることになるから、例えば容器本体２内の液体の漏れを防止できるなど堅固な装着状態が得られ、一方、容器本体２の飲料を飲む際などのキャップ12を装着する際には浅くねじ込むことで装着が完了するから簡易且つ迅速に飲む状態が得られることになり、非常に機能的である。
【００６７】
また、本実施例は、内体５には、口部１に形成された被係止部９と係止する係止部８が設けられ、口部１に装着されたキャップ本体４の外し方向への初期移動の際、係止部８及び被係止部９の係止作用により、キャップ本体４とともに内体５が外し方向へ移動することが阻止されるように構成されているから、このミルク材Ｘを容器本体２内に入れる為の作動が確実に実現されることになる。
【００６８】
即ち、例えばキャップ本体４を外し方向へ移動させる際に内体５も口部１から外れてしまうのを防止するためであり、キャップ本体４の移動とともに内体５も移動すると開口部６ａを開放することができない。仮に、この内体５の移動を阻止する構造として、口部１に装着される内体５の口部１との摩擦抵抗で行う構造とした場合、この部材同士の摩擦抵抗だけに頼る構造の為、極めて高精度な成形が要求され、よって、実際の製造においては不良品が多く発生してしまう。
【００６９】
そこで、本実施例は、前述した係止部８及び被係止部９を具備することで、確実に内体５の移動を阻止することができ、前述したミルク材Ｘを容器本体２内に入れる為の作動が確実に実現されることになる。
【００７０】
また、本実施例は、口部１に装着されたキャップ本体４を外し方向へ移動させた際、初期移動以降においては、係止作用が解除されるように構成されているから、より一層、ミルク材Ｘを容器本体２内に入れるようにする為の作動が確実に実現されることになる。
【００７１】
また、本実施例は、キャップ本体４は口部１に被嵌され、内面部に凸部４ｄが設けられており、被係止部９と係止部８との係止作用の解除は、キャップ本体４の凸部４ｄが係止部８と係止し、外し方向に前記内体５が引動されることで行われるから、キャップ本体４を取り外すと同時に内体５の取り外しも実施されることになり、極めて操作性が良いことになる。
【００７２】
また、本実施例は、内体５は胴部５Ａと該胴部５Ａ上縁に設けられた係止部８とで構成され、胴部５Ａは、口部１内に嵌挿され、係止部８は口部１の開口上縁にして人工乳首装着部１Ｂに被嵌装着されるから、簡易構造で前述した作用効果が確実に得られることになる。
【００７３】
また、本実施例は、人工乳首装着部１Ｂに係止部８を被嵌装着した際、該係止部８の外面部がキャップ装着部１Ａの外面部と没入状態となるように人工乳首装着部１Ｂの径が設定されているから、この点においても簡易構造で前述した作用効果が確実に得られることになる。
【００７４】
また、本実施例は、容器本体２として電子レンジでの加熱に耐え得る耐熱性の容器本体２を採用したから、例えば飲む直前に容器本体２内の水を電子レンジで温め、このお湯にキャップ３に収納されたミルク材Ｘを混ぜることで、温かい状態で飲む飲料（例えばミルクやお茶）が飲みたいタイミングで簡易且つ確実に得られることになり、しかも、直前にミルク材Ｘと液体を混ぜることで最もおいしいフレッシュな状態で得られることになる。
【００７５】
尚、本発明は、本実施例に限られるものではなく、各構成要件の具体的構成は適宜設計し得るものである。
【符号の説明】
【００７６】
Ｘ  ミルク材
１  口部
１Ａ  キャップ装着部
１Ｂ  人工乳首装着部
１ａ  螺旋凸条
１ｂ  螺旋凸条
２  容器本体
３  キャップ
４  キャップ本体
４ｄ  凸部
５  内体
５Ａ  胴部
６  収納部
６ａ  開口部
７  閉塞部
８  係止部
８ｄ  凸部
９  被係止部
11  人工乳首
12  キャップ
【図１】
0005738633.tif 000002
【図２】
0005738633.tif 000003
【図３】
0005738633.tif 000004
【図４】
0005738633.tif 000005
【図５】
0005738633.tif 000006
【図６】
0005738633.tif 000007
【図７】
0005738633.tif 000008
【図８】
0005738633.tif 000009